(57)【要約】【課題】電子書籍内の所望のページを操作性よく短時間で検索することが可能な情報処理装置、情報処理方法、及びプログラムを提供すること。【解決手段】本発明に係る情報処理装置は、複数のページを有し、前記複数のページのうち少なくとも1つのページを注目ページとして、この注目ページの番号を特定する特定情報が付加された電子書籍を所定のページ数の単位で表示可能な表示画面と、前記電子書籍に対するページ送りの指示を、ユーザより連続的に受け付ける入力部と、前記入力されたページ送りの連続的な指示に応じてページ番号を連続的に更新するとともに、前記更新されたページ番号が前記注目ページ番号と一致したとき前記ページ番号の更新を一時的に停止することが可能な制御部とを具備する。【選択図】図９
2012083889.tif 000002
【特許請求の範囲】
【請求項１】
複数のページを有し、前記複数のページのうち少なくとも1つのページを注目ページとして、この注目ページの番号を特定する特定情報が付加された電子書籍を所定のページ数の単位で表示可能な表示画面と、
前記電子書籍に対するページ送りの指示を、ユーザより連続的に受け付ける入力部と、
前記入力されたページ送りの連続的な指示に応じてページ番号を連続的に更新するとともに、前記更新されたページ番号が前記注目ページ番号と一致したとき前記ページ番号の更新を一時的に停止することが可能な制御部と
を具備する情報処理装置。
【請求項２】
請求項１に記載の情報処理装置であって、
前記制御部は、前記更新されたページ番号が前記注目ページ番号と一致してから、所定数分のページ送りのためのタッチ操作が実行されるまでの期間、前記ページ番号の更新を一時的に停止する
情報処理装置。
【請求項３】
請求項２に記載の情報処理装置であって、
前記特定情報を前記電子書籍に付加するとともに、付加した前記特定情報ごとに付加日時に関する情報を付加する付加部をさらに具備し、
前記制御部は、前記付加日時を加味して前記一時的な停止時間を調整する
情報処理装置。
【請求項４】
請求項１〜３のうちいずれか１項に記載の情報処理装置であって、
前記入力部は、前記表示画面に重ねて設けられたタッチパネルであり、
前記情報処理装置は、前記ページ送りの連続的な指示を受け付ける領域であるページ送り操作領域を前記表示画面の少なくとも一部に設定する設定部をさらに具備し、
前記制御部は、前記設定されたページ送り操作領域に対するタッチ操作をもとに前記ページ番号を更新する
情報処理装置。
【請求項５】
請求項４に記載の情報処理装置であって、
前記設定部は、前記ページ送り操作領域を複数設定し、
前記付加部は、前記各ページ送り操作領域に対応する前記特定情報をそれぞれ付加する
情報処理装置。
【請求項６】
請求項１〜５のうちいずれか１項に記載の情報処理装置であって、
前記ページ番号は、前記表示画面に表示すべきページの番号である情報処理装置。
【請求項７】
複数のページを有し、前記複数のページのうち少なくとも1つのページを注目ページとして、この注目ページの番号を特定する特定情報が付加された電子書籍を所定のページ数の単位で表示画面に表示し、
前記電子書籍に対するページ送りの指示を、ユーザより連続的に受け付け、
前記ページ送りの連続的な指示に応じてページ番号を連続的に更新するとともに、前記更新されたページ番号が前記注目ページ番号と一致したとき前記ページ番号の更新を一時的に停止する
情報処理装置による情報処理方法。
【請求項８】
複数のページを有し、前記複数のページのうち少なくとも1つのページを注目ページとして、この注目ページの番号を特定する特定情報が付加された電子書籍を所定のページ数の単位で表示画面に表示するステップと、
前記電子書籍に対するページ送りの指示を、ユーザより連続的に受け付けるステップと、
前記ページ送りの連続的な指示に応じてページ番号を連続的に更新するとともに、前記更新されたページ番号が前記注目ページ番号と一致したとき前記ページ番号の更新を一時的に停止するステップと
を情報処理装置に実行させるプログラム。
【請求項９】
請求項８に記載のプログラムであって、
前記停止ステップは、前記更新されたページ番号が前記注目ページ番号と一致してから、所定数分のページ送りのためのタッチ操作が実行されるまでの期間、前記ページ番号の更新を一時的に停止する
プログラム。
【請求項１０】
請求項９に記載のプログラムであって、
前記情報処理装置に、前記特定情報を前記電子書籍に付加するとともに、付加した前記特定情報ごとに付加日時に関する情報を付加するステップをさらに実行させ、
前記停止ステップは、前記付加日時を加味して前記一時的な停止時間を調整する
プログラム。
【請求項１１】
請求項８〜１０のうちいずれか１項に記載のプログラムであって、
前記受付ステップを、前記表示画面に重ねて設けられたタッチパネルに実行させ、
前記情報処理装置に、前記ページ送りの連続的な指示を受け付ける領域であるページ送り操作領域を前記表示画面の少なくとも一部に設定するステップをさらに実行させ、
前記停止ステップは、前記設定されたページ送り操作領域に対するタッチ操作をもとに前記ページ番号を更新する
プログラム。
【請求項１２】
請求項１１に記載のプログラムであって、
前記設定ステップは、前記ページ送り操作領域を複数設定し、
前記付加ステップは、前記各ページ送り操作領域に対応する前記特定情報をそれぞれ付加する
プログラム。
【請求項１３】
請求項８〜１２のうちいずれか１項に記載のプログラムであって、
前記ページ番号は、前記表示画面に表示すべきページの番号であるプログラム。
【発明の詳細な説明】
【技術分野】
【０００１】
本発明は、例えばタッチパネル等の表示画面に電子書籍等のコンテンツを表示する情報処理装置、情報処理方法、及びプログラムに関する。
【背景技術】
【０００２】
従来、文字や図形等を含む電子書籍を表示させる電子ブック等の端末装置が知られている。このような端末装置では、ユーザが操作性よく電子書籍を閲覧できることが求められる。そのためにユーザが現実の書籍を閲覧する際に行われる動作等を反映した電子書籍の表示方法やＧＵＩ（Graphical User Interface）等が種々開発されている。
【０００３】
例えば現実の書籍が閲覧されるときには、ページをめくりながら所望のページを検索するといった動作がよく行われる。この動作に基づいた操作として、電子書籍内の複数のページから所望のページを検索するためのページスクロール操作が知られている。
【０００４】
例えば特許文献１に記載の電子書籍表示装置では、電子書籍内の各ページがサムネイル表示される。ユーザは画面に表示された複数のサムネイル画像を目視しながらページをスクロールさせ、所望のページを検索することができる（特許文献１の段落［００２９］、図１等参照）。
【０００５】
また、特許文献２に記載のモバイル機器では、電子書籍のコンテンツを表示する表示画面の外周縁に、水平方向タッチセンサと垂直方向タッチセンサとがそれぞれ設けられる。ユーザは、タッチセンサに対して種々のタッチ操作を行うことで、ページをスクロールさせることができる（特許文献２の段落［００２８］、図１等参照）。
【先行技術文献】
【特許文献】
【０００６】
【特許文献１】特開２００６−３１３４８５号公報
【特許文献２】特開２００８−２３４３７２号公報
【発明の概要】
【発明が解決しようとする課題】
【０００７】
しかしながら特許文献１に記載のページスクロール操作では、電子書籍がテキストデータのみで構成されている場合、複数のサムネイルに対して視覚によりページを識別することが難しい。また一度に表示されるサムネイル画像の数にも限界があるので、大量のページを有する電子書籍内から所望のページを高速で検索することが難しい。
【０００８】
また特許文献２に記載のページスクロール操作では、電子書籍が大量のページを有する場合、ページ検索におけるタッチセンサの分解能が低くなり、所望のページをピンポイントで検索することが難しい。すなわち特許文献１及び２に記載のページスクロール操作では、短時間で操作性よく所望のページを検索することが難しい。
【０００９】
以上のような事情に鑑み、本発明の目的は、電子書籍内の所望のページを操作性よく短時間で検索することが可能な情報処理装置、情報処理方法、及びプログラムを提供することにある。
【課題を解決するための手段】
【００１０】
上記目的を達成するため、本発明の一形態に係る情報処理装置は、表示画面と、入力部と、制御部とを具備する。  
前記表示画面は、複数のページを有し、前記複数のページのうち少なくとも1つのページを注目ページとして、この注目ページの番号を特定する特定情報が付加された電子書籍を所定のページ数の単位で表示可能である。  
前記入力部は、前記電子書籍に対するページ送りの指示を、ユーザより連続的に受け付ける。  
前記制御部は、前記入力されたページ送りの連続的な指示に応じてページ番号を連続的に更新するとともに、前記更新されたページ番号が前記注目ページ番号と一致したとき前記ページ番号の更新を一時的に停止することが可能である。
【００１１】
この情報処理装置では、電子書籍に注目ページ番号を特定する特定情報が付加される。そしてページ送りの連続的な指示に応じてページ番号が連続的に更新されるとともに、ページ番号と注目ページ番号とが一致するときにページ番号の連続的な更新が一時的に停止される。従って例えば所望のページが注目ページとして設定されることで、注目ページ番号を有する当該所望のページを操作性よく短時間に検索することが可能となる。
【００１２】
前記制御部は、前記更新されたページ番号が前記注目ページ番号と一致してから、所定数分のページ送りのためのタッチ操作が実行されるまでの期間、前記ページ番号の更新を一時的に停止してもよい。  
このように所定数分のページ送り操作が実行されるまでの期間、ページ番号の更新が一時的に停止されてもよい。
【００１３】
前記情報処理装置は、付加部をさらに具備してもよい。  
前記付加部は、前記特定情報を前記電子書籍に付加するとともに、付加した前記特定情報ごとに付加日時に関する情報を付加する。  
この場合、前記制御部は、前記付加日時を加味して前記一時的な停止時間を調整してもよい。  
このように特定情報が付加された日時を加味して、ページ番号の更新が停止される時間が調整されてもよい。これにより操作性のよいページ検索操作が可能となる。
【００１４】
前記入力部は、前記表示画面に重ねて設けられたタッチパネルであってもよい。  
この場合、前記情報処理装置は、設定部をさらに具備してもよい。  
前記設定部は、前記ページ送りの連続的な指示を受け付ける領域であるページ送り操作領域を前記表示画面の少なくとも一部に設定する。  
また前記制御部は、前記設定されたページ送り操作領域に対するタッチ操作をもとに前記ページ番号を更新してもよい。  
このように、タッチパネルが設けられた表示画面上のページ操作領域に対して、タッチ操作が行われることでページ検索操作が行われてもよい。
【００１５】
前記設定部は、前記ページ送り操作領域を複数設定してもよい。  
この場合、前記付加部は、前記各ページ送り操作領域に対応する前記特定情報をそれぞれ付加してもよい。  
これによりページ送り操作領域ごとに所望のページを検索することが可能となるので、操作性のよい高速なページ検索処理が実現される。
【００１６】
前記ページ番号は、前記表示画面に表示すべきページの番号であってもよい。
【００１７】
本発明の一形態に係る情報処理方法は、情報処理装置により実行される以下の方法である。  
すなわち、前記情報処理方法では、複数のページを有し、前記複数のページのうち少なくとも1つのページを注目ページとして、この注目ページの番号を特定する特定情報が付加された電子書籍が所定のページ数の単位で表示画面に表示される。  
前記電子書籍に対するページ送りの指示が、ユーザより連続的に受け付けられる。
前記ページ送りの連続的な指示に応じてページ番号が連続的に更新されるとともに、前記更新されたページ番号が前記注目ページ番号と一致したとき前記ページ番号の更新が一時的に停止される。
【００１８】
本発明の一形態に係るプログラムは、情報処理装置に、表示ステップと、受付ステップと、停止ステップとを実行させる。  
前記表示ステップは、複数のページを有し、前記複数のページのうち少なくとも1つのページを注目ページとして、この注目ページの番号を特定する特定情報が付加された電子書籍を所定のページ数の単位で表示画面に表示する。  
前記受付ステップは、前記電子書籍に対するページ送りの指示を、ユーザより連続的に受け付ける。  
前記停止ステップは、前記ページ送りの連続的な指示に応じてページ番号を連続的に更新するとともに、前記更新されたページ番号が前記注目ページ番号と一致したとき前記ページ番号の更新を一時的に停止する。
【００１９】
前記停止ステップは、前記更新されたページ番号が前記注目ページ番号と一致してから、所定数分のページ送りのためのタッチ操作が実行されるまでの期間、前記ページ番号の更新を一時的に停止してもよい。
【００２０】
前記プログラムは、前記情報処理装置に、前記特定情報を前記電子書籍に付加するとともに、付加した前記特定情報ごとに付加日時に関する情報を付加するステップをさらに実行させてもよい。  
この場合、前記停止ステップは、前記付加日時を加味して前記一時的な停止時間を調整してもよい。
【００２１】
前記プログラムは、前記受付ステップを、前記表示画面に重ねて設けられたタッチパネルに実行させてもよい。  
この場合、前記情報処理装置に、前記ページ送りの連続的な指示を受け付ける領域であるページ送り操作領域を前記表示画面の少なくとも一部に設定するステップをさらに実行させてもよい。  
また、前記停止ステップは、前記設定されたページ送り操作領域に対するタッチ操作をもとに前記ページ番号を更新してもよい。
【００２２】
前記設定ステップは、前記ページ送り操作領域を複数設定してもよい。  
この場合、前記付加ステップは、前記各ページ送り操作領域に対応する前記特定情報をそれぞれ付加してもよい。
【００２３】
前記ページ番号は、前記表示画面に表示すべきページの番号であってもよい。  
また、前記プログラムは、記録媒体に記録されていてもよい。
【発明の効果】
【００２４】
以上のように、本発明によれば、電子書籍内の所望のページを操作性よく短時間で検索することが可能となる。
【図面の簡単な説明】
【００２５】
【図１】本発明の第１の実施形態に係る情報処理装置としての携帯端末の外観を模式的に示す図である。
【図２】図１に示す携帯端末の構成例を示すブロック図である。
【図３】図１に示す表示画面に表示された注目ページの画像を説明するための図である。
【図４】第１の実施形態における、所定のページを注目ページとして設定する処理の流れを示すフローチャートである。
【図５】図４に示す処理の流れを説明するための図である。
【図６】図４に示す処理の流れを説明するための図である。
【図７】第１の実施形態に係るページスクロール用のＧＵＩを模式的に示す図である。
【図８】第１の実施形態に係る携帯端末によるページスクロール処理の流れを示すフローチャートである。
【図９】第１の実施形態のページスクロール処理における、表示ページ番号の更新について説明するための図及びグラフである。
【図１０】電子書籍内の複数のページがそれぞれ注目ページとして設定された場合におけるヒステリシス領域を示すグラフである。
【図１１】電子書籍内の複数のページがそれぞれ注目ページとして設定された場合におけるヒステリシス領域を示すグラフである。
【図１２】図７に示す拡大小口部の右側の端から左側の端まで、Ｘ方向でドラッグ操作が行われた場合を示す図及びグラフである。
【図１３】本発明の第２の実施形態に係る携帯端末により設定されるヒステリシス領域を示す図である。
【図１４】第２の実施形態に係る携帯端末により設定されるヒステリシス領域を示す図である。
【図１５】本発明の第３の実施形態に係る情報処理装置としての携帯端末に表示される、小口表示画像を模式的に示す図である。
【図１６】第３の実施形態に係る携帯端末によるページスクロール処理の流れを示すフローチャートである。
【図１７】第３の実施形態のページスクロール処理における、表示ページ番号の更新について説明するための図及びグラフである。
【図１８】第３の実施形態に係る携帯端末の表示画面に表示される、注目ページ画像の他の例を模式的に示す図である。
【図１９】ユーザからのページ送りの連続的な指示を受け付ける領域であるページ送り操作領域の変形例を示す図である。
【図２０】図９に示す表示ページ番号の更新についての変形例を示すグラフである。
【図２１】注目ページ画像の変形例を示す図である。
【発明を実施するための形態】
【００２６】
以下、図面を参照しながら、本発明の実施形態を説明する。
【００２７】
＜第１の実施形態＞
［情報処理装置］
図１は、本発明の第１の実施形態に係る情報処理装置の外観を模式的に示す図である。本実施形態では、情報処理装置として、タッチパネルを備えた携帯端末１００が用いられる。本実施形態に係る携帯端末１００により電子書籍５０が閲覧可能となる。
【００２８】
図１に示すように、携帯端末１００は、ユーザ３０に保持される筐体１と筐体１の前面２に設けられた表示画面３とを有する。筐体１は、例えばアルミニウムやステンレス等の金属や、プラスチック等からなる。筐体１のサイズは、例えば図１で見て、すなわちユーザ３０から見て、縦のサイズが約２５ｃｍ、横のサイズが約２０ｃｍ、そして厚みが約１ｃｍ等である。しかしながら、筐体１に用いられる材料やサイズは限定されない。
【００２９】
表示画面３は、筐体１の前面２の略全体にわたって設けられる。この表示画面３に、電子書籍５０が表示され、電子書籍５０の内容が閲覧される。
【００３０】
図２は、携帯端末１００の構成例を示すブロック図である。携帯端末１００は、上記表示画面３を有する表示部１０４と、タッチパネル１０５と、ＣＰＵ（Central Processing Unit）１０６と、ＲＡＭ（Random Access Memory）１０７と、記憶部１０８とを有する。例えば、ＣＰＵ１０６、ＲＡＭ１０７、及び図示しない入出力インターフェースがバス等を介して接続される。そして入出力インターフェースに、表示部１０４、タッチパネル１０５、及び記憶部１０８がそれぞれ接続される。
【００３１】
表示部１０４は、例えば液晶、ＥＬ（Electro-Luminescence）、ＣＲＴ（Cathode Ray Tube）等を用いた表示デバイスである。
【００３２】
タッチパネル１０５は、ユーザ３０からの各種の指示を受け付ける入力部として機能する。本実施形態のタッチパネル１０５は、ユーザ３０の指等の操作子３１の表示画面３に対する接触及び近接を検知することが可能である。
【００３３】
タッチパネル１０５は、表示画面３と一体的に設けられる図示しないセンサ部と、演算回路部とを有する。操作子３１が表示画面３に近接又は接触すると、センサ部から演算回路部に近接信号又は接触信号がそれぞれ出力される。演算回路部により、出力された近接信号又は接触信号に基づいて、例えば操作子３１の近接位置又は接触位置の情報や、操作子の移動方向、移動量、あるいは移動速度の情報等が生成される。その他、操作子３１の接触面積の情報等が生成されてもよい。生成された各種の情報は、例えばＣＰＵ１０６に出力され、ＣＰＵ１０６により所定の処理が行われる。
【００３４】
本実施形態では、静電容量方式のタッチパネル１０５が用いられる。しかしながら、抵抗膜方式、表面弾性波方式、又は赤外線方式等の、他の方式のタッチパネルが用いられてもよい。
【００３５】
記憶部１０８は、不揮発性の記憶デバイスであり、例えばＨＤＤ（Hard Disk Drive）、フラッシュメモリ、その他の固体メモリである。ＲＡＭ１０７及び記憶部１０８の一部又は全部が、本実施形態に係る記憶手段に相当する。あるいは携帯端末１００が図示しないＲＯＭ（Read Only Memory）を有しており、当該ＲＯＭを含めて記憶手段が構成されてもよい。
【００３６】
携帯端末１００に、図示しないドライブ部や通信部が設けられてもよい。ドライブ部は、例えば光学記録媒体、フロッピー（登録商標）ディスク、磁気記録テープ、フラッシュメモリ等、リムーバブルの記録媒体を駆動することが可能なデバイスである。
【００３７】
通信部は、ＬＡＮ（Local Area Network）、ＷＡＮ（Wide Area Network）等に接続可能な、他のデバイスと通信するためのモデム、ルータ、その他の通信機器である。通信部は、有線及び無線のどちらを利用して通信するものであってもよい。
【００３８】
例えば記録媒体に格納された電子書籍５０が、ドライブ部を介してＣＰＵ１０６により読み出され、電子書籍５０が表示画面３に表示される。あるいは、通信部を介して電子書籍５０がダウンロードされ、電子書籍５０が表示画面３に表示されてもよい。
【００３９】
また本実施形態の携帯端末１００は、加速度センサやジャイロセンサ等の携帯端末１００の傾きの変化を検出することが可能なデバイスを有している。
【００４０】
携帯端末１００によるデータ処理は、記憶部１０８等に記憶されたソフトウェアと、携帯端末１００のハードウェア資源との協働により実現される。具体的には、ＣＰＵ１０６が記憶部１０８等に記憶された、ソフトウェアを構成するプログラムをＲＡＭ１０７にロードして実行することにより、各種のデータ処理が実現される。本実施形態では、ＣＰＵ１０６は、後述するページ番号の更新及び更新の一時停止が可能な制御部、電子書籍に特定情報を付加する付加部、あるいはページ送り領域を設定する設定部等として機能する。なおＲＡＭ１０７は、図示しない画像表示用のビデオＲＡＭ（ＶＲＡＭ）を含む。
【００４１】
ここで本実施形態に係る携帯端末１００の表示画面３に表示される画像について、図１を参照しながら説明する。例えば記憶媒体から読み出された、あるいは通信部を介してダウンロードされた電子書籍５０は、ページ番号が付与された複数のページを有している。そして各ページは、当該ページの内容であるコンテンツデータをそれぞれ有している。コンテンツデータは、例えばテキストデータやイメージデータ等である。また電子書籍５０は、タイトル、著者、総ページ数、単位ページの厚み、又は右綴じ／左綴じ等についての書誌データを有している。
【００４２】
図１には、ページの形状を表現するページ画像５１と、電子書籍５０の所定のページが有するコンテンツデータ５２とが表示されている。ページ画像５１に、所定のページのコンテンツデータ５２がマッピングされることで、表示画面３に表示ページ５３が表示される。例えば４ページ目のコンテンツデータがマッピングされた表示ページ５３は、電子書籍５０内において４ページ目の表示ページ５３となる。
【００４３】
本実施形態では、左綴じで左開きとなるページ画像５１が表示されている。ページ画像５１の根元側（図１で見て左側）には、綴じ部５４が表示されている。一方、ページ画像５１の先端側（図１で見た右側）に、現実の書籍にいうところの小口を表す小口部５５が表示されている。
【００４４】
本実施形態では、図示しない複数のポリゴンからなるメッシュマップとしてページ画像５１が生成され、そこに電子書籍５０の各ページのコンテンツデータ５２がテクスチャとして貼り付けられる。各ポリゴンの頂点の位置を適宜移動させることで、例えば表示ページ５３の一部あるいは全部がめくられるような動画（アニメーション）が生成され、表示画面３に表示される。
【００４５】
［情報処理装置の動作］
本実施形態に係る情報処理装置である携帯端末１００の動作について説明する。本実施形態に係る携帯端末１００では、電子書籍内の所定のページを注目ページとして設定することが可能である。そして設定された注目ページを操作性よく短時間で高速に検索することが可能である。
【００４６】
図３は、表示画面３に表示された注目ページの画像を説明するための図である。図３（Ａ）は注目ページの画像を模式的に示す図であり、図３（Ｂ）は現実の書籍のページを模式的に示した図である。
【００４７】
例えばユーザ３０により、電子書籍５０内の所定のページが、注目すべきコンテンツデータ５２を有する注目ページとして設定される。そうすると注目ページとして設定されたページの番号を特定する特定情報が電子書籍５０に付加される。例えば特定情報が上記した電子書籍５０の書誌データ内に付加されてもよい。あるいは注目ページの番号を管理するテーブルが特定情報として生成され電子書籍に付加されてもよい。また注目ページの番号を特定する特定情報が、記憶部１０８等に記憶されてもよい。
【００４８】
本実施形態では、図３（Ａ）に示すように、表示ページ５３の右下部分５６の一部が折り返された画像が注目ページの画像５７として表示される。図３（Ｂ）に示すように、現実の書籍９００において、ユーザはページ９０１の端部を折り曲げていわゆるドッグイア９０２を作ることがある。本実施形態では、この現実の書籍９００において作られるドッグイア９０２を表現するドッグイア部５８を有する注目ページ画像５７が生成される。
【００４９】
図４は所定のページを注目ページとして設定する処理の流れを示すフローチャートである。図５及び図６は、その処理の流れを説明するための図である。図５（Ａ）及び図６（Ａ）は、表示画面３に対するタッチ操作を示す模式的な図である。図５（Ｂ）及び図６（Ｂ）は、図５（Ａ）及び図６（Ａ）に示すタッチ操作に応じた表示ページ５３の変形を表すアニメーションについて説明するための図である。図５（Ｂ）及び図６（Ｂ）では、現実の書籍９００におけるページ９０１の動作が図示されており、この現実の書籍９００のページ動作に基づいたアニメーションが表示画面３に表示される。なお、タッチ操作は、操作子３１を単純に表示画面３に接触させるタッチ動作、ドラッグ操作、タップ操作等、操作子３１を用いた表示画面３に対する種々の動作及び操作を含む。
【００５０】
まず電子書籍５０の表示ページ５３（コンテンツ）に対するタッチ動作が検出されたか否かが判定される（ステップ１０１）。図５及び図６に示すように、表示ページ５３に対して操作子３１によるタッチ動作が行われた直後の、操作子３１が表示画面３に接触している状態では表示ページ５３は変形しない。
【００５１】
操作子３１が近接検知領域Ｒから出たか否かが判定される（ステップ１０２）。近接検知領域Ｒとは、タッチパネル１０５により操作子３１の近接動作を検出可能な領域であり、表示画面３から所定の大きさｒまで離れた位置までの領域である。図５及び図６に示すように、操作子３１が表示画面３上から離れて近接検知領域Ｒ内を移動すると、その動作に応じて表示ページ５３が少しずつめくられるアニメーションが表示画面３に表示される。
【００５２】
操作子３１が近接検知領域Ｒから出たと判定された場合（ステップ１０２のＹｅｓ）、表示ページ５３に対するタップ操作が確定される。本実施形態では、図５に示すように、表示ページ５３に対するタップ操作に対して次ページへのページめくり処理が割り当てられる（ステップ１０３）。
【００５３】
操作子３１が近接検知領域Ｒから出ていないと判定された場合（ステップ１０２のＮｏ）、表示ページ５３に対する再度のタッチ動作の有無が判定される（ステップ１０４）。表示ページ５３に対するタッチ動作が再び検出された場合、図６に示すようにドッグイア部５８が生成される（ステップ１０５）。すなわち表示ページ５３が注目ページとして設定され、表示画面３には、ドッグイア部５８を有する注目ページ画像５７が表示される。なお近接検知領域Ｒ内にて例えばページがめくられる方向に操作子３１が所定の距離移動した後に、再度のタッチ動作が行われることでドッグイア部５８が形成されてもよい。
【００５４】
表示ページ５３に対する再度のタッチ動作が所定の時間検出されない場合（ステップ１０４のＮｏ）、タッチ動作による指示はキャンセルされたとして元の表示ページ５３の画像に戻る。
【００５５】
このように本実施形態に係る注目ページの設定方法では、現実の書籍９００においてドッグイア９０２を形成するための動作に基づいた直感的な操作により所定のページを注目ページに設定することができる。そしてドッグイア部５８を有する注目ページ画像５７を表示画面３に表示させることができる。また近接検知領域Ｒを適宜利用することで、ページ送り処理が割り当てられたタップ操作との操作上のコンフリクトを回避することができ、操作性よく注目ページを設定することができる。
【００５６】
なお、注目ページの設定方法は、上記で説明したものに限られない。表示画面３又は表示ページ５３に対する他のタッチ操作に基づいて注目ページが設定されてもよい。あるいは、注目ページを設定するためのアイコン等が表示され、ユーザ３０が当該アイコン等をクリックすることにより注目ページの設定が行われてもよい。
【００５７】
次に、本実施形態に係る携帯端末１００によるページ送り処理としてのページスクロール処理について説明する。図７は、本実施形態に係るページスクロール用のＧＵＩを模式的に示す図である。    図７（Ａ）に示すように、表示ページ５３が閲覧用のモードで表示されている状態において、ユーザ３０により携帯端末１００が表示画面３と向き合う方向である正面方向（図７で見て紙面の垂直方向）に傾けられる。
【００５８】
携帯端末１００の内部に設けられた傾きを検出可能なデバイスにより傾きが検出され、所定の傾き変化の検出をトリガーとして、閲覧モードからページスクロールモードに切り替えられる。図７（Ｂ）に示すように、表示画面３には、ページスクロール用のＧＵＩである小口表示画像６０が表示される。
【００５９】
小口表示画像６０は、小口部５５が拡大された拡大小口部６１を有している。本実施形態では、この拡大小口部６１が、ページ送りの連続的な指示を受け付ける領域であるページ送り操作領域として設定される。図７（Ｃ）に示すように、操作子３１による拡大小口部６１に対するタッチ操作に基づいて、ページスクロール処理が行われる。なお拡大小口部６１のサイズや形状等は適宜設定されてよい。
【００６０】
本実施形態では、拡大小口部６１内の操作子３１のタッチ位置３２に基づいて、表示画面３に表示すべきページである表示ページ５３の番号が適宜選択される。また操作子３１のドラッグ操作による、表示画面３の左右方向（図７のＸ方向）でのタッチ位置３２の変化に基づいて、表示ページ５３の番号が連続的に更新される。タッチ位置３２の情報としては典型的には、表示画面３上の座標情報が用いられる。以下、本実施形態に係るページスクロール処理について詳しく説明する。
【００６１】
図８は、本実施形態に係る携帯端末１００によるページスクロール処理の流れを示すフローチャートである。
【００６２】
ページ送り操作領域として設定された拡大小口部６１に対するタッチ動作が検出されたか否かが判定される（ステップ２０１）。タッチ動作が検出された場合（ステップ２０１のＹｅｓ）、そのタッチ動作のタッチ位置３２が、注目ページ番号に対応した位置である注目位置Ｔの付近であるか否かが判定される（ステップ２０２）。注目位置Ｔとは、当該注目位置Ｔにおいてタッチ動作が行われた場合、表示ページ番号として注目ページの番号が選択される位置である。すなわち注目位置Ｔにおいてタッチ動作が行われて、そのままページ移動処理が実行された場合、注目ページ画像５７が表示画面３に表示される。注目位置Ｔは、例えば１つの座標値で表されてもよいし、図７（ｃ）に示すようにＸ方向に所定の幅を有する領域として表されてもよい。電子書籍５０の総ページ数が多いほど、注目位置ＴのＸ方向におけるサイズが小さくなる。
【００６３】
なお図７（Ｂ）及び（Ｃ）には、注目位置Ｔに色が付されている。このように注目位置Ｔが目視により識別できるように表示されてもよい。また注目位置Ｔを示す所定のマークが表示されてもよい。一方で、注目位置Ｔを識別するための色分けやマーク表示等が行われなくともよい。
【００６４】
タッチ位置３２が注目位置の付近であると判定された場合（ステップ２０２のＹｅｓ）、表示ページ番号として注目ページ番号が選択される（ステップ２０３）。すなわち本実施形態では、注目位置Ｔから左右方向（Ｘ方向）において所定の範囲までの領域が、注目領域Ｓとして設定される。タッチ位置３２が注目領域Ｓに含まれる場合、タッチ位置３２が注目位置Ｔの付近であると判定される。従って注目位置Ｔと異なる位置でタッチ動作が行われた場合でも、当該タッチ位置３２が注目領域Ｓ内であれば、表示ページ番号として注目ページ番号が選択される。これにより所望のページとしての注目ページ画像５７を操作性よく短時間で表示画面３に表示させることができる。
【００６５】
図７（Ｂ）及び（Ｃ）に示すように、注目領域Ｓにも色が付されてもよい。例えば注目位置Ｔを赤色で表示、注目領域Ｓが青色で表示されてもよい。また注目領域Ｓ内において、注目位置Ｔからの距離が大きくなるにつれて色が変化するようなグラディエーション表示が用いられてもよい。
【００６６】
タッチ位置３２が注目位置Ｔの付近ではないと判定された場合（ステップ２０２のＮｏ）、タッチ位置３２に応じた表示ページ番号が選択される（ステップ２０４）。
【００６７】
拡大小口部６１内での操作子３１によるドラッグ操作が検出されたか否かが判定される（ステップ２０５）。ドラッグ操作が検出されない場合（ステップ２０５のＮｏ）、ステップ２０３又は２０４で選択された番号を有するページが、表示画面３に表示される。あるいは所定のキャンセル処理が行われることで、ページスクロール処理の実行がキャンセルされてもよい。
【００６８】
ドラッグ操作が検出された場合（ステップ２０５のＹｅｓ）、以下に示す本実施形態に係るページスクロール処理が行われる（ステップ２０６）。本実施形態では、操作子３１によるドラッグ操作がユーザ３０からのページ送りの連続的な指示に相当する。
【００６９】
図９は、本実施形態のページスクロール処理における、表示ページ番号の更新について説明するための図及びグラフである。ここではページスクロール処理を分かりやすく説明するために、図９（Ａ）に示す拡大小口部６１の左側の端Ｏから右側の端Ｐまで、Ｘ方向でドラッグ操作が行われたものとして説明する。図９（Ａ）に示す座標ｔは、注目ページ番号に対応する注目位置Ｔのｘ座標である。注目位置Ｔが領域で表されている場合、注目位置Ｔの左端のｘ座標である。
【００７０】
図９（Ｂ）のグラフに示すように、操作子３１によるタッチ位置が端Ｏから端Ｐまでドラッグ操作されることにより、タッチ位置３２のｘ座標が連続的に増加する。このｘ座標の連続的な変化に応じて、表示ページ番号が連続的に更新される。ここでタッチ位置３２が注目位置Ｔの座標ｔまでドラッグされると、更新された表示ページ番号が注目ページ番号Ｎと一致する。
【００７１】
更新された表示ページ番号が注目ページ番号Ｎと一致したとき、表示ページ番号の更新が一時的に停止される。これにより注目位置Ｔの座標ｔを超えて操作子３１が移動しても、所定の期間、表示ページ番号として注目ページ番号Ｎが選択された状態が保たれる。すなわち図９（Ｂ）に示すように、表示ページ番号の更新においてヒステリシスがかかり、タッチ位置３２が注目位置Ｔの座標ｔから若干超えたとしても、所定のヒステリシス領域Ｈ内であれば、注目ページ番号Ｎが選択された状態が維持される。
【００７２】
本実施形態では、更新された表示ページ番号が注目ページ番号Ｎと一致してから、所定数分のページ送りのためのタッチ操作が実行されるまでの期間、表示ページ番号の更新が一時的に停止される。従って注目位置Ｔの座標ｔから、ドラッグ操作による所定数分のページ送りが実行される位置座標ｕまでの領域がヒステリシス領域Ｈとなる。
【００７３】
しかしながら、所定のサイズを有するヒステリシス領域Ｈが表示画面３上に注目位置Ｔの座標ｔを基準として設定されてよい。あるいは表示ページ番号の更新を停止させる時間が適宜設定されてもよい。一時停止の時間が設定された場合、ドラッグ操作の速度に依存して、ヒステリシス領域Ｈのサイズは変化することになる。
【００７４】
操作子３１がヒステリシス領域Ｈを越えてドラッグ操作されると、操作子３１のタッチ位置３２に応じた表示ページ番号が更新される。
【００７５】
拡大小口部６１において操作子３１がリリースされると、更新された表示ページ番号を有するページが閲覧モードで表示画面３に表示される。図９（Ｂ）に示すヒステリシス領域Ｈにて操作子がリリースされた場合、図３に示す注目ページ画像５７がピンポイントで表示画面３に表示される。
【００７６】
図９（Ａ）に示す小口表示画像６０には、図１に示す表示ページ５３のコンテンツデータ５２が表示されている。この小口表示画像６０に表示されているコンテンツデータ５２が、表示ページ番号の更新に基づいて更新されてもよい。すなわち小口表示画像６０に、更新された表示ページ番号のページのコンテンツデータ５２がプレビュー画像として連続的に表示されてもよい。この場合、更新された表示ページ番号が注目ページ番号Ｎと一致したときに、コンテンツデータ５２の更新が一時的に停止される。これによりユーザ３０は、小口表示画像６０内で表示が維持される注目ページのコンテンツデータ５２を目視することで、操作性よく短時間で高速に注目ページを検索することができる。
【００７７】
図１０及び図１１は、電子書籍５０内の複数のページがそれぞれ注目ページとして設定された場合におけるヒステリシス領域を示すグラフである。
【００７８】
図１０は、図９に示すヒステリシス領域Ｈに含まれる位置座標ｖに対応したページが注目ページとして設定された場合を示すグラフである。すなわち位置座標ｖは注目位置座標ｖとなる。
【００７９】
図１０に示すように、分割されたヒステリシス領域Ｈ1及びＨ2が注目位置座標ｔ及びｖからそれぞれ設定される。本実施形態では、ヒステリシス領域Ｈを略２等分したサイズのヒステリシス領域Ｈ1及びＨ2が設定される。ヒステリシス領域Ｈのサイズは、所定数分のページ送りのためのタッチ操作が実行されるまでの期間に対応している。従って当該所定数の略半分の数のページ送りのためのタッチ操作が実行されるまので期間に対応したヒステリシス領域Ｈ1及びＨ2がそれぞれ設定される。ヒステリシス領域Ｈの分割の割合は適宜設定可能である。
【００８０】
図１１に示すように、注目位置座標ｔに設定されたヒステリシス領域Ｈ内に含まれない位置座標ｗに対応したページが注目ページとして設定された場合、当該位置座標ｗからヒステリシス領域Ｈと略等しいサイズのヒステリシス領域Ｈ3が設定されればよい。
【００８１】
図１２は、拡大小口部６１の右側の端Ｐから左側の端Ｏまで、Ｘ方向でドラッグ操作が行われた場合を示す図及びグラフである。すなわちここでは逆方向でのページスクロール操作が行われる。
【００８２】
図１２に示すように、逆方向でのページスクロール操作の場合、ｘ座標の減少にともない表示ページ番号が連続的に小さい数となるように更新される。更新された表示ページ番号が注目ページ番号Ｎと一致したとき、注目位置座標ｔを基準としたヒステリシス領域Ｈが設定される。なお注目位置Ｔが領域で表されている場合、注目位置座標ｔは、注目位置Ｔの右端のｘ座標である。このようにヒステリシス領域Ｈを設定することで、逆方向のページスクロール操作においても、所望のページである注目ページを操作性よく短時間で検索することができる。
【００８３】
以上、本実施形態に係る情報処理装置としての携帯端末１００では、電子書籍５０に注目ページ番号Ｎを特定する特定情報が付加される。そしてページ送りの連続的な指示に応じて表示ページ番号が連続的に更新されるとともに、表示ページ番号と注目ページ番号Ｎとが一致するときに表示ページ番号の連続的な更新が一時的に停止される。従って例えばユーザ３０が所望のページを注目ページとして設定することで、注目ページ番号Ｎを有する当該所望のページを操作性よく短時間で検索することができ、表示画面３に注目ページ画像５７を表示させることができる。
【００８４】
また本実施形態に係るページスクロール方法により、現実の電子書籍において、所望のページにドッグイアを形成しておき、後にそのページを触覚的に短時間で開くという動作に基づいた、直感的なページスクロール操作が可能となる。
【００８５】
＜第２の実施形態＞
本発明の第２の実施形態に係る情報処理装置を、携帯端末を例に挙げて説明する。これ以降の説明では、第１の実施形態で説明した携帯端末１００の構成及び作用と同様な部分については、その説明を省略又は簡略化する。
【００８６】
図１３及び図１４は、本実施形態に係る携帯端末により設定されるヒステリシス領域を示す図である。本実施形態では、所定のページが注目ページとして設定されるときに、注目ページ番号を特定する特定情報が電子書籍に付加されるとともに、当該特定情報が付加された日時に関する情報が電子書籍に付加される。例えば日時情報は、特定情報と紐づけられて電子書籍の書誌データ内に付加される。あるいは管理テーブルが作成されてもよい。
【００８７】
図１３は、注目位置座標ｔからのヒステリシス領域Ｈが設定され、その後にヒステリシス領域Ｈ内の注目位置座標ｖからのヒステリシス領域Ｈ2が設定された場合を示す図である。本実施形態では、最初に設定されたヒステリシス領域Ｈが分割されて、注目位置座標ｔ及びｖにヒステリシス領域Ｈ1及びＨ2がそれぞれ設定される。図１３に示すように、設定された日時が古い注目ページ（番号Ｎ）に対応する注目位置座標ｔに新たに設定されたヒステリシス領域Ｈ1のサイズよりも、設定された日時が新しい注目ページ（番号Ｍ）に対応する注目位置座標ｖに設定されたヒステリシス領域Ｈ2のサイズが大きくなるように設定される。
【００８８】
図１４は、注目位置座標ｔからのヒステリシス領域Ｈが設定され、その後にヒステリシス領域Ｈ外の位置座標ｗからのヒステリシス領域Ｈ3が設定された場合を示す図である。本実施形態では、新たに設定された注目ページ（番号Ｌ）に対応する注目位置座標ｗに、注目位置座標ｔから当初設定されていたヒステリシス領域Ｈと略等しいサイズのヒステリシス領域Ｈ3が設定される。そして注目位置座標ｔには、ヒステリシス領域Ｈよりも小さいヒステリシス領域Ｈ4が新たに設定される。
【００８９】
以上、本実施形態では、電子書籍に特定情報が付加された日時が加味されてヒステリシス領域、すなわち表示ページ番号の更新の一時的な停止時間が調整される。本実施形態では、付加された日時が新しい特定情報に係る注目ページが、長い時間表示ページとして選択される。すなわち新たに設定された注目ページの検索が容易となる。これにより、ユーザは、操作性よく短時間で所望のページを選択することができる。
【００９０】
ユーザの選択により、付加された日時が古い特定情報に係る注目位置座標にサイズの大きいヒステリシス領域が設定されてもよい。
【００９１】
本実施形態では、日時の情報が加味されてヒステリシス領域、すなわち表示ページ番号の更新の一時停止時間が調整された。しかしながら、注目ページが設定されるときに、例えばユーザから注目度を表す情報が入力され、その注目度を表す情報に基づいて、ヒステリシス領域のサイズが適宜調整されてもよい。
【００９２】
＜第３の実施形態＞
図１５は、本発明の第３の実施形態に係る情報処理装置としての携帯端末に表示される、小口表示画像を模式的に示す図である。
【００９３】
本実施形態に係る携帯端末３００では、表示画面３０３上に、複数のページ送り操作領域Ａ、Ｂ及びＣが設定される。図１５に示すように、複数のページ送り操作領域Ａ、Ｂ及びＣは、拡大小口部３６１をＹ方向において分割するように設けられる。拡大小口部３６１の上側、すなわち電子書籍３５０の天側にページ送り操作領域Ａが設定され、拡大小口部３６１の下側、すなわち電子書籍３５０の地側にページ送り操作領域Ｃが設定される。そしてページ送り操作領域Ａ及びＣに挟まれた、拡大小口部３６１の中央にページ送り操作領域Ｂが設定される。ユーザは、ページ送り操作領域Ａ、Ｂ及びＣに対応する特定情報をそれぞれ付加することが可能である。
【００９４】
図１５（Ｂ）には、ページ送り操作領域Ａに対応した注目ページ画像３５７ａが図示されている。例えばユーザにより、表示ページ３５３ａの天側の領域で、図６に示すような注目ページの設定操作が行われる。そうするとページ送り操作領域Ａに対応する特定情報が電子書籍３５０に付加され、表示ページ３５３ａの右上の端部にドッグイア部３５８ａが形成された注目ページ画像３５７ａが表示される。
【００９５】
図１５（Ｃ）には、ページ送り操作領域Ｃに対応した注目ページ画像３５７ｃが図示されている。例えばユーザにより、表示ページ３５３ｃの地側の領域で注目ページの設定操作が行われる。そうするとページ送り操作領域Ｃに対応する特定情報が電子書籍３５０に付加され、表示ページの右下の端部にドッグイア部３５８ｃが形成された注目ページ画像３５７ｃが表示される。なおページ送り操作領域Ｂに対応する特定情報は付加されない。
【００９６】
図１５（Ａ）には、ページ送り操作領域Ａ及びＣ内に、注目ページの位置（注目位置）を示すマーク３５９ａ及び３５９ｃがそれぞれ図示されている。このような注目ページの位置を示すマーク等の画像が表示画面３０３に適宜表示されてもよいし、表示されなくてもよい。また例えば表示ページの位置を示すように、拡大小口部３６１に色が付されてもよい。
【００９７】
図１６は、携帯端末３００によるページスクロール処理の流れを示すフローチャートである。図１７は、本実施形態のページスクロール処理における、表示ページ番号の更新について説明するための図及びグラフである。
【００９８】
まず拡大小口部３６１に対するタッチ動作が検出され、タッチ位置３３２が図７において説明した注目領域内である場合は、表示ページ番号として注目ページ番号が選択される。タッチ位置３３２が注目領域外である場合は、表示ページ番号として当該タッチ位置３３２に応じたページの番号が選択される（ステップ３０１〜３０４）。
【００９９】
本実施形態では、ステップ３０１〜３０４においてタッチ位置３３２がページ送り操作領域Ａ、Ｂ及びＣのいずれかに属すかは判定されない。すなわちタッチ位置３３２のｙ座標の情報は加味されず、タッチ位置３３２のｘ座標が加味される。タッチ位置３３２のｘ座標が、各ページ送り操作領域Ａ、Ｂ及びＣのいずれかの注目領域に含まれる値である場合、当該注目領域に係る注目ページ番号が表示ページ番号として選択される。
【０１００】
しかしながら、ステップ３０１〜３０４において、タッチ位置３３２のｙ座標が加味され、タッチ位置３３２がページ送り操作領域Ａ、Ｂ及びＣのいずれかに属すのかが判定されてもよい。この場合、タッチ位置３３２が含まれるページ送り操作領域の注目領域に、そのタッチ位置３３２が含まれるか否かが判定される。そして当該ページ送り操作領域の注目領域にタッチ位置３３２が含まれた場合に、注目領域に係る注目ページ番号が表示ページ番号として選択される。
【０１０１】
拡大小口部３６１内での操作子３３１によるドラッグ操作が検出されたか否かが判定され（ステップ３０５）、タッチ位置３３２のｙ座標に基づいてタッチ位置を含むページ送り操作領域が判定される（ステップ３０６）。そして各ページ送り操作領域において、特定情報が付加されているか、すなわち注目ページが設定されているかが判定される（ステップ３０７）。
【０１０２】
図１７（Ａ）は、ページ送り操作領域Ａ内でドラッグ操作が行われる場合を示す図及びグラフであり、図１７（Ｂ）は、ページ送り操作領域Ｂ内でドラッグ操作が行われる場合を示す図及びグラフである。そして図１７（Ｃ）は、ページ送り操作領域Ｃ内でドラッグ操作が行われる場合を示す図及びグラフである。
【０１０３】
図１７（Ａ）及び（Ｃ）に示すように、ページ送り操作領域Ａ又はＣでドラッグ操作が行われる場合（ステップ３０７のＹｅｓ）、ヒステリシスをかけたページスクロール処理が行われる（ステップ３０８）。図１７（Ｂ）に示すように、ページ送り操作領域Ｂでドラッグ操作が行われる場合（ステップ３０７のＮｏ）、ヒステリシスをかけない、タッチ位置３３２の変化に応じて連続的に表示ページ番号が更新されるページスクロール処理が行われえる（ステップ３０９）。
【０１０４】
以上、本実施形態の携帯端末３００では、表示画面３０３上に複数のページ送り操作領域Ａ、Ｂ及びＣが設定され、ページ送り操作領域Ａ、Ｂ及びＣに対応する特定情報がそれぞれ電子書籍３５０に付加される。これにより例えばユーザは、特定のテーマに基づいてページ送り操作領域Ａに対応する特定情報を付加させ、異なるテーマに基づいてページ送り操作領域Ｂに対応する特定情報を付加させることができる。すなわちテーマ別にページ検索操作を行うことができる。あるいは注目度が高い注目ページがページ送り操作領域Ａを介して設定され、注目度が比較的低い注目ページがページ送り操作領域Ｃを介して設定されるといった設定方法が可能となる。このようにページ送り操作領域ごとに所望のページを検索することが可能となるので、操作性がよい高速なページ検索処理が実現される。
【０１０５】
なおページ送り操作領域Ｂに対応した特定情報が電子書籍３５０に付加されてもよい。この場合、図１８に示すようにページ送り操作領域Ｂの位置に応じたドッグイア部３５８ｂが形成された注目ページ画像３５７ｂが表示されてもよい。ドッグイア部３５８ｂの位置及び形状は、各ページ送り操作領域Ａ、Ｂ及びＣにそれぞれ対応した注目ページであることが把握できるのであれば、適宜設定されてよい。例えば各ドッグイア部が色分けされてもよい。
【０１０６】
＜その他の実施形態＞
本発明に係る実施形態は、以上説明した実施形態に限定されず、他の種々の実施形態がある。
【０１０７】
上記では、ユーザによる注目ページの設定操作に基づいて、注目ページ番号を特定する特定情報が電子書籍に付加された。しかしながら、例えばＣＰＵにより、所定のパラメータに基づいて所定のページが注目ページとして設定されてもよい。例えば表示されている時間が所定の時間よりも長い表示ページが注目ページとして設定されてもよい。これは閲覧される時間が長いページは注目度が高い可能性があるという想定に基づく。表示頻度が高い表示ページが注目度の高いページとして想定される場合もあり、このようなページがＣＰＵにより注目ページとして設定されてもよい。その他、例えばテキストデータよりもイメージデータを多く有するページが注目ページとして設定されてもよい。これにより例えばテキストデータのみを有するページとイメージデータを有するページとが混在する電子書籍において、イメージデータを有するページを操作性よく検索することができる。これに以外にも、電子書籍の内容等に基づいてパラメータは適宜設定されてよい。
【０１０８】
また同一の電子書籍を閲覧した他のユーザにより付加された特定情報が、そのまま付加されてもよい。例えばインターネットを介して電子書籍をダウンロードするようなシステムにおいて、各ユーザが電子書籍に付加した特定情報についての情報がシステム内のサーバにより管理される。そしてユーザが所定の電子書籍をダウンロードしたときに、他のユーザによる特定情報が反映されてもよい。これにより例えばページスクロール操作を行ったときに、他のユーザの多くが注目する注目ページ等を把握することが容易となる。これにより電子書籍の楽しみ方が増え、また人気のあるページを容易に検索することができる。さらに所定の電子書籍に対する注目ページの位置情報等を複数のユーザで共有して楽しむことができる。また例えば所定のページに対して他のユーザにより付加されるコメントの量に基づいて注目ページが設定されてもよい。コメントに限られず、他のユーザから付加された種々の集合知の量に基づいて設定されてもよい。
【０１０９】
その他、所定のページを注目ページとして設定するための、いわゆる重みの付けの方法は適宜設定可能である。
【０１１０】
図１９は、ユーザからのページ送りの連続的な指示を受け付ける領域であるページ送り操作領域の変形例を示す図である。本変形例では、表示ページ４５３の下部に、スクロールバー４５４がページ送り操作領域を表すＧＵＩ部品として表示される。ユーザ４３０はスクロールバー４５４に対して種々のタッチ操作を行うことで、上記で説明したヒステリシスをかけたページスクロール処理が実行される。その他ページスクロール操作のための各種のＧＵＩ部品が表示画面に表示されてもよい。
【０１１１】
また入力部として、例えば表示画面と別個に設けられたタッチパッドや、表示画面に外縁に設けられたタッチセンサ等が用いられてもよい。ユーザからのページ送りの連続的な指示を受け付けることができるのあれば、入力部としてどのようなものが用いられもよい。
【０１１２】
図２０は、図９に示す表示ページ番号の更新についての変形例を示すグラフである。図９に示すヒステリシスの設定方法では、操作子３１がヒステリシス領域Ｈを越えてドラッグ操作されると、操作子３１のタッチ位置３２に応じた表示ページ番号が更新された。しかしながら図２０に示すように、操作子３１がヒステリシス領域Ｈを越えてドラッグ操作されたときに、注目ページ番号Ｎの次ページの番号から、表示ページ番号の連続的な更新が再開されてもよい。これにより電子書籍内の全てのページに対してページスクロール操作が可能となる。
【０１１３】
図２１は、注目ページ画像の変形例を示す図である。本変形例の注目ページ画像５５７は、ドッグイア部の代わりに、しおりを表現するしおり画像５５８を有する。すなわちユーザにより注目ページとして設定されたページには、しおり画像が付されることになる。しおりの他に、注目ページを識別するためのマークや色が注目ページ画像に付されてもよい。
【０１１４】
上記では、ページスクロール操作に基づいて表示ページ番号が選択及び更新された。表示ページ番号は内部処理で扱われる変数であり、リリース操作等のページ移動処理の実行が確定されたときに、当該表示ページが表示画面に表示される。しかしながら、表示ページ番号の選択及び更新とともに、表示ページが表示画面に表示されてもよい。例えば操作子のドラッグ操作に合わせて、ページがめくられるアニメーションが表示され、表示ページが表示画面上において更新されてもよい。
【０１１５】
上記では、ページ送り操作領域に対するドラッグ操作が、ユーザからのページ送りの連続的な指示に相当した。しかしながら例えばページ送り操作領域に対する連続的に繰り返されるタッチ動作が、ユーザからのページ送りの連続的な指示として用いられてもよい。タッチ動作の回数に応じて表示ページ番号が更新され、表示ページ番号と注目ページ番号が一致してから、所定の回数のタッチ動作が行われる期間、表示ページ番号の更新が一時的に停止される。その他、ユーザからのページ送りの連続的な指示に相当する操作方法は適宜設定可能である。
【０１１６】
上記では、表示画面に１ページ分の表示ページが片開きで表示された。しかしながら表示画面に２ページ分の表示ページが両開きで表示されてもよい。
【０１１７】
上記では、図１に示すように閲覧モードにおいて表示ページ５３の小口部５５が表示された。この小口部５５の表示が省略され、表示画面３の左右方向全体にわたるようにコンテンツデータ５２が表示されてもよい。ページスクロールモードに切り替わったときに、拡大小口部６１が表示されればよい。
【０１１８】
上記では、ページの形状を表現するページ画像やドッグイア部が形成される際の動画等が複数のポリゴンを用いた３Ｄアニメーション画像として表示された。しかしながら例えばアフィン変換等を用いた２次元アニメーション画像が表示されてもよい。
【符号の説明】
【０１１９】
Ａ，Ｂ，Ｃ…ページ送り操作領域
３、３０３…表示画面
３０、４３０…ユーザ
５０、３５０…電子書籍
５３、３５３ａ、３５３ｃ、４５３…表示ページ
５７、３５７ａ、３５７ｂ、３５７ｃ、５５７…注目ページ画像
６１、３６１…拡大小口部
１００、３００…携帯端末
１０５…タッチパネル
１０６…ＣＰＵ
４５４…スクロールバー
【図１】
2012083889.tif 000003
【図２】
2012083889.tif 000004
【図３】
2012083889.tif 000005
【図４】
2012083889.tif 000006
【図５】
2012083889.tif 000007
【図６】
2012083889.tif 000008
【図８】
2012083889.tif 000009
【図１０】
2012083889.tif 000010
【図１１】
2012083889.tif 000011
【図１３】
2012083889.tif 000012
【図１４】
2012083889.tif 000013
【図１６】
2012083889.tif 000014
【図１８】
2012083889.tif 000015
【図１９】
2012083889.tif 000016
【図２０】
2012083889.tif 000017
【図２１】
2012083889.tif 000018
【図７】
2012083889.tif 000019
【図９】
2012083889.tif 000020
【図１２】
2012083889.tif 000021
【図１５】
2012083889.tif 000022
【図１７】
2012083889.tif 000023